(57)【要約】【課題】家の屋根の瓦や、壁の熱を吸収して、配管して熱を回収して集熱し、蓄積し、家の暖房や冷房に循環するシステムを構築する場合、配管と瓦や壁などの熱源とが接触していないため、熱交換が効率よく行なうことができなかった。【解決手段】アルミ箔チューブの表面にホットメルト接着剤を塗布したアルミ箔チューブであって、アルミ箔チューブの中に高温の熱媒体を注入することにより、アルミ箔チューブが膨張し、アルミ箔チューブの周辺近辺に配置した被着体に接触し、ホットメルト接着剤が溶解し、アルミ箔チューブと被着体が接着するようにしたことを特徴するホットメルトをコーティングしたアルミ箔チューブ。【選択図】図１
2013095025.tif 000002
【特許請求の範囲】
【請求項１】
アルミ箔チューブの表面にホットメルト接着剤を塗布したアルミ箔チューブであって、アルミ箔チューブの中に高温の熱媒体を注入することにより、アルミ箔チューブが膨張し、アルミ箔チューブの周辺近辺に配置した被着体に接触し、ホットメルトが溶解し、アルミ箔チューブと被着体が接着するようにしたことを特徴するホットメルトをコーティングしたアルミ箔チューブ。
【発明の詳細な説明】
【技術分野】
【０００１】
本発明は、集熱吸収装置などに利用できるように、ホットメルトをコーティングしたアルミ箔チューブに関する。
【背景技術】
【０００２】
従来、ガラス管や銅管等のパイプに太陽熱を直接受け、そのパイプの中に水などの媒体を注入して、媒体を貯湯槽に蓄積し、循環させて熱交換システムを構築していた。
【先行技術文献】
【特許文献】
【０００３】
【特許文献１】特開平７−３３２７６７号公報
【発明の概要】
【発明が解決しようとする課題】
【０００４】
１）従来は、ガラス管や銅管等のパイプの配管に太陽熱を直接受け、そのパイプの中に水などの媒体を注入して、媒体を貯湯槽に蓄積し、循環させて熱交換システムを構築していたが、熱交換率が低く、熱の損失が大きかった。
２）家の屋根の瓦や、壁の熱を吸収して、配管して熱を回収して集熱し、蓄積し、家の暖房や冷房に循環するシステムを構築する場合、配管と瓦や壁などの熱源とが接触していないため、熱交換が効率よく行なうことができなかった。
３）瓦や壁はいろんな凹凸、曲面をなしているので、配管と接触するように施工することは難しく、そのため瓦や壁と配管との熱交換の効率が低かった。
【課題を解決するための手段】
【０００５】
アルミ箔チューブの表面にホットメルト接着剤を塗布したアルミ箔チューブであって、アルミ箔チューブの中に高温の熱媒体を注入することにより、アルミ箔チューブが膨張し、アルミ箔チューブの周辺近辺に配置した被着体に接触し、ホットメルト接着剤が溶解し、アルミ箔チューブと被着体が接着するようにしたことを特徴するアルミ箔チューブ。
【発明の効果】
【０００６】
本発明のアルミ箔チューブは、表面にホットメルトをコーティングしているので、瓦や壁などの凹凸をしている熱源に対して、熱媒体を流したときに完全に相互に接着するので、熱源と熱媒体間の熱交換率が高くなる。
【図面の簡単な説明】
【０００７】
【図１】本発明のアルミ箔チューブの構成
【図２】屋根の瓦の集熱吸収への本発明のアルミ箔チューブの使用例
【発明を実施するための形態】
【０００８】
本発明は、家の屋根の瓦や、壁の熱を吸収して、配管して熱を回収して集熱し、蓄積する集熱吸収システムを構築するために必要となる。
ホットメルトをコーティングしたアルミ箔チューブに関するものである。以下、ホットメルトをコーティングしたアルミ箔チューブの構成、機能、及び、応用例について示す。
図１は本発明のホットメルトをコーティングしたアルミ箔チューブの構成を示す。（ａ）は、熱媒体を注入する前  （ｂ）は熱媒体を注入した後を示す。
本発明のホットメルトをコーティングしたアルミ箔チューブは、ポリプロピレンの円筒状の筒にアルミ箔をコーティングしたもので、その中に水や油等の液体、および気体等の熱媒体を通すことができる。ホットメルトをコーティングしたアルミ箔チューブは、柔らかく、熱媒体を通すと膨らむ。
ホットメルトは、固形接着剤を加熱し融解した状態にして流動性を付与（ホットメルト）した上で塗布し、冷却されることにより硬化・接着する粉体・ペレット・フィルム・網状などの固体である。このホットメルトを加熱して溶解して、アルミ箔チューブに吹きつけなどによりコーティングする。
図１（ａ）に示すように、熱媒体を注入する前は、アルミ箔チューブ１は、しぼんでおり、表面のホットメルト２は冷えているので固まっており、アルミ箔チューブを引っ張りまわりして敷設が容易にできる。また、被着体３とは離れているので、アルミ箔チューブと被着体とは熱交換しない。
図１（ｂ）は、ホットメルトをコーティングしたアルミ箔チューブ１に、熱媒体を注入した状態をしめす。熱媒体を注入するとアルミ箔チューブは膨張して被着体に当接する。アルミ箔チューブの表面にコーティングしたホットメルト２は、熱媒体の熱により溶融し粘着性をしめし、アルミ箔チューブ１と被着体３とは接着する。これにより、アルミ箔チューブと被着体との熱交換が効率よく行える。熱媒体がなくなったときは、アルミ箔チューブと被着体との接着性は保たれる。
【０００９】
図２は、屋根の瓦の集熱吸収への本発明のアルミ箔チューブの使用例を示す。
図２に示したように熱源のある瓦４の裏側にホットメルト２（接着剤）をコーティングしたアルミ箔チューブ１を屋根下地５の上に設置し、アルミ箔チューブの中に高温の熱媒体を注入することによりアルミ箔チューブは膨張し、瓦の裏側の面にそって当接する。アルミ箔チューブの表面にコーティングしたホットメルトは、熱媒体の熱により溶融し粘着性をしめし、アルミ箔チューブと瓦５とは接着し熱媒体がなくなったとき、アルミ箔チューブと瓦との接着性が保たれ、アルミ箔チューブの中に水、不凍液、空気、ガス等の熱媒体を注入し循環させて瓦の接着面より熱エネルギーを吸収し、また、ホースやチューブ等でアルミ箔チューブを連結することで広大な場所に設置し集熱、保温、冷却することができる。
屋根の瓦以外に、壁のサイディングの熱を吸収するときに、本発明のホットメルトをコーティングしたアルミ箔チューブを設置し、熱媒体を注入すると、ホットメルトが溶融し、アルミ箔チューブとサイディングが接着し、アルミ箔チューブとサイディング間の熱交換を高めることができる。
【産業上の利用可能性】
【００１０】
屋根の瓦や壁の集熱吸収する配管に使用することで熱効率のよい集熱吸収システムを構築できる。
【符号の説明】
【００１１】
１    アルミ箔チューブ
２    ホットメルト接着剤
３    被着体  
４    瓦
５    屋根下地
【図１】
2013095025.tif 000003
【図２】
2013095025.tif 000004
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
アルミ箔チューブの表面にホットメルト接着剤を塗布したアルミ箔チューブであって、アルミ箔チューブの中に高温の熱媒体を注入することにより、アルミ箔チューブが萎んだ状態から膨張し、アルミ箔チューブの周辺近辺に配置した被着体の瓦又は壁に接触し、ホットメルト接着剤が溶解し、アルミ箔チューブと被着体が接着し、瓦又壁の熱エネルギーを吸収しアルミ箔チューブの中に水、不凍液、空気、又はガスを注入するようにしたことを特徴するアルミ箔チューブ。